(57)【要約】      （修正有）【課題】ボックス状の容器主体を構成する面板をすべて独立したものとし、これら独立した面板を一枚のシート部材を利用して折り畳み可能とすることによって、物品の搬送時にはボックスに組立て可能とし、使用後は折り畳んだ状態で返送もしくは保管可能とした、通い箱に最適な包装用容器を提供する。【解決手段】容器本体を構成する各面板２〜７が、二つの面板部材で個々独立に形成され、前記各面板２〜７が、前記面板部材間に挟持される一枚のシート部材８で相互に連結され、かつ、前記シート部材８には、内側に面ファスナが付設された連結部Ｃが所要の部位に配置され、これら面ファスナと係着して容器本体の形状を維持する面ファスナ１０を、前記面板４，５の外面に付設して包装用容器１とする。【選択図】図１
2014114031.tif 000002
【特許請求の範囲】
【請求項１】
容器本体を構成する各面板が、二つの面板部材で個々独立に形成され、
前記各面板が、前記面板部材間に挟持される一枚のシート部材で相互に連結され、
かつ、前記シート部材には、内側に面ファスナが付設された連結部が所要の部位に配置され、これら面ファスナと係着して容器本体の形状を維持する面ファスナが、前記面板の外面に付設されていること
特徴とする包装用容器。
【請求項２】
前記面板部材は、
一対の板状体もしくはフレーム部材同士、もしくは板状体とフレーム部材で構成されていること
を特徴とする請求項１に記載の包装用容器。
【請求項３】
前記一対の板状体は、
表面となる板状体、もしくは表裏いずれの板状体にも、所望の図柄が透設されていること
を特徴とする請求項２に記載の包装用容器。
【請求項４】
前記シート部材は、
得ようとする容器本体の展開図における面板同士の連結部に沿って、前記面板の厚みと同一又はよりやや広幅の幅員部が形成されていること
を特徴とする請求項１に記載の包装用容器。
【請求項５】
前記シート部材は、
天然繊維もしくは合成繊維のキャンバス生地からなること
を特徴とする請求項１又は４かに記載の包装用容器。
【発明の詳細な説明】
【技術分野】
【０００１】
この発明は、各種の物品を搬送するための包装用容器に関するものである。
より具体的には、物品を包装して目的地まで搬送したのち、用済みになった包装用容器をコンパクトに折り畳んで回送してリユースすることを可能にした、いわゆる「通い箱」に適した包装用容器に関するものである。
【背景技術】
【０００２】
各種物品の収納と搬送には、軽量であって、安価でかつ取り扱いが容易であるという利点から、一般的に段ボール箱が使用されている。
この段ボール箱は、その使用目的が終了すると、多くの場合、折り畳まれた状態で廃段ボールとして業者に引き取られ、古紙としてかなりの割合でリサイクルされている。
【０００３】
しかしながら、資源の利用の効率化を考慮すると、一回限りの使用で廃段ボールとする段ボール箱の使用は解決すべき問題を有するもので、物品の包装用容器として、特に搬送容器として長期に使用される包装用容器が求められている。
【０００４】
かかる長期に使用される包装用容器としては、いわゆる「通い箱」と呼ばれる、繰り返し使用可能な搬送容器として使用される包装用容器も、従来から存在する。
前記段ボール箱も、かかる目的で使用されていることがあるが、この段ボール箱は、それ自体強度が十分とは言い得ず、耐久性に優れているものではなく、長期の使用には問題を有している。
【０００５】
さらに、段ボール箱は、包装されていた内容物が取り出され、空箱になったときに、リユースするまで、少なくとも底面を開放した状態で折り畳んで、リユースのために保管もしくは搬送することが必要となる。
しかしながら、リユースあるいは搬送に支障を生じさせないように、折り畳むことは、折畳んだものが嵩張ることを含めて簡便とは言い得ず、リユースに際しても箱状とするため、新たに粘着テープなど利用して組み立てる必要がある。
【０００６】
かかる問題点を解決するものとして、例えば、特開２００２−２９５３１号公報（特許文献１）においては、箱容器の正面体、裏面体、右側面体および左側面体を、補強芯材を覆い体に内挿したものを使用することで、自立開口、折り畳み可能な容器の提案がなされている。
【０００７】
前記容器は、より具体的には、正面体、裏面体、右側面体、及び左側面体における稜部において曲折可能に形成の自立開口、折り畳み可能な箱容器であって、正面体、裏面体、右側面体、及び左側面体において、補強芯材を覆い体に内挿したものを使用することを要旨としている。
【０００８】
この特許文献１においては、前記補強芯材として、軽量なベニヤ板やアルミニウム板などが、覆い体としては、ワリフや柔軟なポリプロピレン等の合成樹脂シート、布、ネットなどが例示されている。
【０００９】
さらに、特開２００９−２９８４３３号公報（特許文献２）には、上部の蓋を開放しなくても、一側面のみを開放して、中身を側部からも取り出すことができるようにした通い箱が提案されている。
【００１０】
この通い箱は、底部と、前後左右の側部と、上蓋部からなる直方体状の容器において、前記前後左右の側部の繋ぎ目が、スライドファスナのスライダーの上げ下げにより開閉可能となっている。
なお、この特許文献２においては、内側に務歯が露出しないように、務歯に沿って務歯を覆う保護布片を設けるのが好ましいとしている。
【００１１】
前記特許文献２では、前記底部、前後左右の側部および蓋部の各面が、表面を布で被覆した厚紙・段ボール・合成樹脂・木材のいずれかの薄板で形成されている。
かかる材料を使用することによって、運搬や繰り返しの使用に耐えられる強度を持たせることができ、スライドファスナやスナップボタンを取り付けることができる、としている。
【先行技術文献】
【特許文献】
【００１２】
【特許文献１】特開２００２−２９５３１号公報（請求項１，段落００１０）
【特許文献２】特開２００９−２９８４３３号公報（請求項３，段落０００９）
【発明の概要】
【発明が解決しようとする課題】
【００１３】
特許文献１に記載の発明は、背景技術において述べられた問題点を解決するため、ベニヤ板やアルミニウム板、さらには厚紙・段ボール・合成樹脂の薄板の表面に、ワリフや柔軟なポリプロピレンなどの合成樹脂シート、布、ネットなどを施したものを、面体にするものである。
すなわち、柔軟なシートで面体を挟み付け、それを用いてボックス状の容器を製造するというものである。
【００１４】
したがって、得られる容器は、その表面の全体あるいは６面のうち４面が、ワリフや柔軟なポリプロピレンなど合成樹脂シート、布、ネットなどで覆われることになる。
その結果、ボックス状容器の折畳みを容易にする反面、容器の耐久性、耐汚染性、耐引掻き性などの点において問題を有するものである。
【００１５】
さらに、面体を構成する薄板の両面を柔軟性シートで包み込み、薄板を固定するためには、両面に存在する覆い体を融着や縫着により結合しなければならない。
そのため、薄板を完全に、かつ緩みなく固定するためには、精密で正確な操作が求められることになる。
【００１６】
特許文献２に記載の発明は、従来の通い箱と同様に使用することが可能なものである。
この通い箱は、上部の蓋を開放しなくても、一側面のみを開放して、側部からも中身を取り出すようなこともできるようするため、表面を布で被覆した厚紙・段ボール・合成樹脂・木材のいずれかの薄板で形成される。
その結果、スライドファスナやスナップボタンを取り付けるために一工夫が求められ、必ずしもコストダウンには繋がらず、ファスナによる開閉も簡便とは言い難い。
【００１７】
この発明はかかる現状に鑑み、ボックス状の容器本体を構成する面板をすべて独立したものとし、これら独立した面板を一枚のシート部材を利用して折り畳み可能とすることによって、物品の搬送時にはボックスに組立て可能とし、使用後は折り畳んだ状態で返送もしくは保管可能とした、通い箱に最適な包装用容器を提供することを目的としたものである。
【課題を解決するための手段】
【００１８】
前記目的を達成するため、この発明の請求項１に記載の発明は、
容器本体を構成する各面板が、二つの面板部材で個々独立に形成され、
前記各面板が、前記面板部材間に挟持される一枚のシート部材で相互に連結され、
かつ、前記シート部材には、内側に面ファスナが付設された連結部が所要の部位に配置され、これら面ファスナと係着して容器本体の形状を維持する面ファスナが、前記面板の外面に付設されていること
特徴とする包装用容器である。
【００１９】
この発明の請求項２に記載の発明は、
請求項１に記載の包装用容器において、
前記面板部材は、
一対の板状体もしくはフレーム部材同士、もしくは板状体とフレーム部材で構成されていること
を特徴とするものである。
【００２０】
この発明の請求項３に記載の発明は、
請求項２に記載の包装用容器において、
前記一対の板状体は、
表面となる板状体、もしくは表裏いずれの板状体にも、所望の図柄が透設されていること
を特徴とするものである。
【００２１】
この発明の請求項４に記載の発明は、
請求項１に記載の包装用容器において、
前記シート部材は、
得ようとする容器本体の展開図における面板同士の連結部に沿って、前記面板の厚みと同一又はよりやや広幅の幅員部が形成されていること
を特徴とするものである。
【００２２】
この発明の請求項５に記載の発明は、
請求項１又は４に記載の包装用容器において、
前記シート部材は、
天然繊維もしくは合成繊維のキャンバス生地からなること
を特徴とするものである。
【発明の効果】
【００２３】
この発明にかかる包装用容器は、ボックス状の容器本体を構成する六つの面板のすべてを個々独立のものとするとともに、前記各面板を一枚のシート部材で結合させ相互に連結可能としたので、商品の搬送に際しては、ボックス状の容器本体を簡単かつ容易に組み立てることができる。
空になった容器本体は、これを分解することで折り畳んだ状態で保管ないし回送することができるので、リターナブルな包装用容器として使用することができる。
【００２４】
特に、この発明においては、前記面板を、一対の板状体もしくはフレーム部材、又は板状体とフレーム部材からなる面板部材で構成することによって、各面板の厚みを薄くしても、面板の耐久性が減じることがなく、用途に合わせて面板の強度を任意に選択することができるので、設計の自由度が大きいなど優れた効果を奏するものである。
【００２５】
さらに、この発明の包装用容器は、折り畳んだ容器本体を組み立てるに際し、組立てのために、テープなどの新たな梱包用資材を必要としないので、資源の節約が可能なものである。
また、表面側の面板部材を板状体で構成するに際し、当該面板部材に所望の図柄を透設すれば、容器本体のデザイン性を向上させることができ、当該図柄を通気孔として利用すれば、通気性の向上も容易に達成することが可能であるなど、コストパフォーマンスを著しく向上させることできる。
【図面の簡単な説明】
【００２６】
【図１】この発明にかかる包装用容器の一例を示す一部切欠き正面斜視図である。
【図２】図１に示す包装用容器の一部切欠き展開図で、内面側を示す。
【図３】図１に示す包装用容器の一部切欠き展開図で、外面側を示す。
【図４】この発明を構成するシート部材の内面側を示す展開図である。
【発明を実施するための形態】
【００２７】
以下、この発明にかかる包装用容器の一例を、添付図面に基づいて説明する。
なお、この発明は、以下に説明する実施例にのみ限定されるものではなく、発明の要旨を変更しない範囲内において、種々の変更や改良を加えることができるものである。
【００２８】
この発明の包装用容器１は、個々独立する六つの面板、正面板２、背面板３、左右の側面板４，５、天面板６および底面板７と、これら面板２〜７を相互に連結してボックス状の容器本体を構成するための一枚のシート部材８とから構成される。
【００２９】
前記面板２〜７は、得ようとする容器本体の用途によって異なるが、これら各面板２〜７は、所要の大きさと厚みを有する一対の板状体もしくは一対のフレーム部材、又は板状体とフレーム部材とで構成される。
【００３０】
前記面板２〜７をフレーム部材で構成する場合、軽量な商品などを収容して搬送する場合は、特段の問題は生じないが、比較的多くの商品を収容して重量が重くなる場合、あるいは重い商品を搬送する場合には、フレーム部材内に補強フレームを配することが好ましい。
【００３１】
前記面板２〜７を一対の板状体で構成する場合、表面側の板状体に所望の図柄を切り抜きによって形成すれば、得られる包装用容器のデザイン性が向上し、立体感が付与されるとともに、容器本体の軽量化が図れるので好ましい。
なお、容器本体に通気性を確保する必要がある場合には、一対の板状体を貫通する貫通孔Ｖを適宜の部位に設ければよい。
【００３２】
その際、一対の板状体の相対する部位に、それぞれ所望の図柄を切り抜きによって形成すれば、当該切り抜き部が通気部を構成することなる。
表面側を板状体で、裏面側（容器本体内）をフレーム材で面板を構成する場合は、表面側の板状体にのみ、所望の図柄Ｆを切り抜き形成するだけでよい。
【００３３】
面板をフレーム部材で構成すれば、得られる包装用容器の重量を大幅に減ずることができるが、搬送時の振動や、他の物品との衝突などによって損傷する可能性があるので、フレーム部材内に補強フレームを配することが好ましい。
【００３４】
かかる面板２〜７を構成する素材は、合板などの木製の板材を使用するものであって、当該板材を、間伐材を利用したものとすれば資源保護の面から好ましい。
なお、耐久性を有し、繰り返し使用可能な素材であれば、木製の以外の素材を用いることも可能で、例えば、ダンボールなどの素材も使用できるので、素材については特段の制限はないものである。
【００３５】
前記シート部材８は、天然もしくは合成の繊維素材からなる布帛が使用されるが、通気性や丈夫さを考慮するとキャンバス生地が好ましく、その厚さは包装用容器の用途に応じて適宜選択されるものである。
なお、このシート部材８は、各面板２〜７を相互に連結し、かつ使用目的に応じた強度を有するものであれば、キャンバス生地に限定されるものではなく、他の布帛も当然使用することができる。
【００３６】
かかるシート部材８は、図４に示されるように、得ようとする包装用容器の展開図とほぼ同じ形状に形成されるが、各面板２〜７を相互に連結するに際し、隣接する面板同士の間に、面板部材の厚みとほぼ等しいか、やや幅広となるよう幅員Ｗを設けことが肝要である。
なお、図中、８ａは正面用シート、８ｂは底面用シート、８ｃは背面用シート、８ｄおよび８ｅは側面用シート、８ａｆは天面用シートを表す。
【００３７】
さらに、前記シート部材８は、各面板２〜７と対応する部位同士が所要の幅員Ｗを介して連続的に繋がって一枚のシートとなるが、このシート部材８の所要の縁部には、他の縁部との連結部Ｃが延出形成される。
この連結部Ｃの位置は、得ようとする包装用容器の形状によって異なるもので、ダンボール箱で言えば、糊代に相当するものである。
【００３８】
前記連結部Ｃのうち所要の連結部、実施例においては、天面用シート８ｆ、底面用シート８ｂおよび正面用シート８ａの内面側に、面ファスナ９が付設される。
一方、前記シート部材８に一体的に装着される面板２〜７の、いずれかの面板の外面に設けられた面ファスナ１０と係着し、ボックス状の容器本体を構成するものである。
【００３９】
以下、実施の一例として、ロール状のトイレットペーパーを収納物とすること想定した包装用容器１について説明する。
【００４０】
この包装用容器１は、図２で明らかなように、図４に示した一枚のシート部材８上に、方形状の正面板２、矩形状の底面板７、方形状の背面板３、矩形状の天面板６が上下方向に一列に配され、前記背面板３の左右の縁部に矩形状の側面板４，５が、上下もしくは左右方向において配置される面板との間に、板厚相当の幅員Ｗを存して装着される。
【００４１】
前記面板２〜７は、実施例においては、いずれも０．５〜５．０ｍｍ前後の厚みを有する一対の板状体ａ，ｂからなるものである。
したがって、前記面板２〜７を構成する各板状体ａ，ｂの厚みが、例えば、１．５ｍｍの場合は、各面板２〜７の厚みは３．０ｍｍに、後述するシート部材８の厚みを加えたものとなる。
【００４２】
なお、この実施例では、各板状体ａおよびｂを同一の厚さのものとしているが、外側に位置する板状体の厚みを、内側に位置する板状体の厚みよりも薄くすることも可能で、かかる板状体を使用することによって、容器本体自体の全体の重量を軽減させることができる。
【００４３】
ついで、このシート部材８の他面側に、前記と同様に上方から、正面板２、底面板７、背面板３、天面板６が上下方向に一列に配され、前記背面板３の左右の縁部に側面板４，５がそれぞれ配されたのち、シート部材８を介して相対する面板２〜７をビスなどの締結部材を利用して固定させることで、シート部材８と各面板２〜７を一体化させる。
【００４４】
前記シート部材８は、この実施例においては、天面板６の各縁部から連結部Ｃが所要の幅で延出し、底面板７および正面板２の左右の縁部からも連結部Ｃが所要の幅で延出しているもので、各連結部Ｃの内面側には同幅の面ファスナ９がそれぞれ付設されている。
なお、図中、１１は底面板７と背面板３との連結を補強するための補強片であるが、図１に示すように、底面板７と正面板２との間に設けてもよい。
【００４５】
図３は、図２の展開図の外側を示すもので、前記面ファスナ９と係着する面ファスナ１０が、前記側面板４の左縁部と下縁に沿ってＬ字状に、同じく側面板５の右縁部と下縁に沿って側面板４と対称的に付設されている。
【００４６】
したがって、組立てに際しては、底面板７の左右の連結部内側の面ファスナ９，９が、側面板４，５の外側下縁に設けた面ファスナ１０，１０と係着するとともに、正面板２の左右の縁部に設けられた面ファスナ９，９が、同じく側面板４，５の外側に設けた面ファスナ１０，１０と係着して、矩形状の容器本体が構成される。
【００４７】
ついで、前記容器本体内に所望の商品を収納し、天面板６で開口部を閉止したのち、天面板６の上縁側に突出する連結部Ｃの内側に設けられた面ファスナ９を、正面板２に設けられた面ファスナ１０と係着させれば、開口部は完全に封止されるので、この状態で配送することが可能となる。
【００４８】
なお、前記天面板６の左右に突出する連結部Ｃは、その内側に面ファスナ（図示せず）をそれぞれ設けるとともに、各側面板４，５の外側上縁部に面ファスナ（図示せず）を設け、両面ファスナを係着させることで、より開口部を確実に封止することができるが、前記連結部は必ずしも必須なものではない。
【００４９】
さらに、この実施例においては、底面板７以外の各面板２〜６を構成する板状体ａ，ｂの相対する部位にそれぞれ切り欠きによって、図柄Ｆを形成しているので、当該図柄Ｆが通気口の役目を果たす。
【００５０】
この図柄Ｆは、表面側の板状体ａにのみ形成してもよく、この場合には、通気性を必要とするときは、特定の面板を構成する板状体ａ，ｂを貫通する貫通孔を形成して通気孔Ｖとすればよい。
【００５１】
かくして得た包装用容器１は、搬送しようとするロール状のトイレットペーパーを内部に収納したのち、天面板６を開口部側に倒し、しかるのち、天面板６の三辺に突出した面ファスナ９を、それぞれ対応する側面板４，５および正面板２の上縁部に付設された面ファスナ１０に係着させて天面板６で開口部を閉止し、搬送に付するものである。
【００５２】
搬送先で収納物が取り出された包装用容器１は、前記した手順と逆の手順で面ファスナ９および１０の係着を解けば、全体が扁平な包装用容器１となるので、適宜の部位で折り畳むことによって、コンパクトにすることができる。
【００５３】
この発明の実施例においては、ボックス状の容器本体の組立てに面ファスナを使用しているが、スナップボタンやその他一時的に開閉可能なファスナは、すべて使用することが可能である。
【００５４】
この発明にかかる包装用容器は、容器本体を構成する６面の面板を、いずれも同形の一対の板状体で形成し、前記板状体間に挟持される１枚のシート部材によって、６つの面板を相互に連結させて構成されているので、ボックス状にするための組立てと、折り畳むための分解がきわめて簡単かつ容易で、しかも繰り返し使用なものである。
【産業上の利用可能性】
【００５５】
この発明にかかる包装用容器は、簡易な手段で組立てと分解をすることができるので、各種製品の搬送、特に通い箱として有効に利用できるものであるから、あらゆる商品分野で幅広く利用される可能性の高いものである。
【符号の説明】
【００５６】
１        包装用容器
２        正面板
３        背面板
４，５    側面板
６        天面板
７        底面板
８        シート部材
８ａ      正面用シート
８ｂ      底面用シート
８ｃ      背面用シート
８ｄ      側面用シート
８ｅ      側面用シート
９，１０  面ファスナ
１１      補強片
Ｗ        幅員
ＷＦ      窓枠
Ｃ        連結部
Ｆ        図柄
Ｖ        通気孔
【図１】
2014114031.tif 000003
【図２】
2014114031.tif 000004
【図３】
2014114031.tif 000005
【図４】
2014114031.tif 000006